(57)【要約】【課題】  捕球時における装着者の指の力のかけ方の特性に対応した、捕球を行ないやすい捕球具および該捕球具の設計方法を提供する。【解決手段】  グラブ１（捕球具）は、受球面外皮８と背面外皮９とを含む外皮１Ａと、外皮１Ａ内に挿入され、受球面外皮８に沿って設けられる手掌部材と背面外皮９に沿って設けられる手甲部材とを有する内皮と、手掌部材と手甲部材との間に形成され装着者の指を受け入れる指部と、手掌部材における特定の箇所に選択的に設けられる補強部とを備える。【選択図】        図１
2005329053.tif 000002
【特許請求の範囲】
【請求項１】
受球部と背面部とを含む外皮と、
前記外皮内に挿入され、前記受球部に沿って設けられる手掌部と前記背面部に沿って設けられる手甲部とを有する内皮と、
前記手甲部と前記手掌部との間に形成される指部内に受け入れられる装着者の人差し指、中指、薬指および小指の４本の指の指先近傍に相当する部分の前記手掌部に選択的に設けられた補強部とを備えた捕球具。
【請求項２】
前記補強部は、前記４本の指の指先近傍に相当する部分から該４本の指の付根部に向けて延在する、請求項１に記載の捕球具。
【請求項３】
受球部と背面部とを含む外皮と、
前記外皮内に挿入され、前記受球部に沿って設けられる手掌部と前記背面部に沿って設けられる手甲部とを有する内皮と、
前記手甲部と前記手掌部との間に形成される指部内に受け入れられる装着者の薬指および小指の２本の指のみに相当する部分近傍の前記手掌部に選択的に設けられた補強部とを備えた捕球具。
【請求項４】
前記補強部は、前記２本の指の指先近傍に相当する部分から該２本の指の付根部に向けて延在する、請求項３に記載の捕球具。
【請求項５】
前記補強部は、前記２本の指の指先近傍に相当する部分から該２本の指を受け入れる前記指部の先端部側に向けて延在する、請求項３または請求項４に記載の捕球具。
【請求項６】
受球部と背面部とを含む外皮と、
前記外皮内に挿入され、前記受球部に沿って設けられる手掌部と前記背面部に沿って設けられる手甲部とを有する内皮と、
前記手甲部と前記手掌部との間に形成される指部内に受け入れられる装着者の中指、薬指および小指の３本の指のみに相当する部分近傍の前記手掌部に選択的に設けられた補強部とを備えた捕球具。
【請求項７】
前記補強部は、前記３本の指の指先近傍に相当する部分から該３本の指の付根部に向けて延在する、請求項６に記載の捕球具。
【請求項８】
前記補強部は、前記３本の指の指先近傍に相当する部分から該３本の指を受け入れる前記指部の先端部側に向けて延在する、請求項６または請求項７に記載の捕球具。
【請求項９】
受球部と背面部とを含む外皮と、
前記外皮内に挿入され、前記受球部に沿って設けられる手掌部と、前記背面部に沿って設けられる手甲部と、装着者の人差し指、中指、薬指および小指をそれぞれ受け入れる人差し指部、中指部、薬指部および小指部とを有する内皮と、
前記人差し指部、中指部、薬指部および小指部の付根部を形成する前記手掌部に選択的に設けられた補強部とを備えた捕球具。
【請求項１０】
受球部と背面部とを含む外皮と、
前記外皮内に挿入され、前記受球部に沿って設けられる手掌部と、前記背面部に沿って設けられる手甲部と、装着者の薬指および小指をそれぞれ受け入れる薬指部および小指部とを有する内皮と、
前記薬指部および小指部の付根部を形成する前記手掌部に選択的に設けられた補強部とを備えた捕球具。
【請求項１１】
受球部と背面部とを含む外皮と、
前記外皮内に挿入され、前記受球部に沿って設けられる手掌部と、前記背面部に沿って設けられる手甲部と、装着者の中指、薬指および小指をそれぞれ受け入れる中指部、薬指部および小指部とを有する内皮と、
前記中指部、薬指部および小指部の付根部を形成する前記手掌部に選択的に設けられた補強部とを備えた捕球具。
【請求項１２】
受球部と背面部とを備えた捕球具であって、
前記受球部の内側であって装着者の指先が位置する部分の近傍にのみ選択的に補強部を設けた捕球具。
【請求項１３】
受球部と背面部とを備えた捕球具であって、
前記受球部の内側であって装着者の薬指および小指に対応する部分にのみ選択的に補強部を設けた捕球具。
【請求項１４】
受球部と背面部とを備えた捕球具であって、
前記受球部の内側であって装着者の中指、薬指および小指に対応する部分にのみ選択的に補強部を設けた捕球具。
【請求項１５】
捕球具の装着者の指が捕球時に前記捕球具に作用させる圧力の分布を圧力センサにより計測するステップと、
前記計測ステップおける計測結果に基づいて、前記捕球具における受球部の内側において前記圧力が相対的に大きい部分に補強部を設けるステップとを備えた捕球具の設計方法。
【発明の詳細な説明】
【技術分野】
【０００１】
本発明は、捕球具および捕球具の設計方法に関し、特に、野球またはソフトボール用グラブなどの捕球具および該捕球具の設計方法に関する。
【背景技術】
【０００２】
従来の捕球具としては、たとえば、特開２００２−１２６１５３号公報（従来例１）に記載されたものなどが挙げられる。
【０００３】
従来例１においては、受球面皮と背面皮とを縫合してなる表皮と、表皮の内部に挿入され、手掌皮と手甲皮とを縫合してなる裏皮と、表皮に内装され、側部に補強部を有する芯材とを備えた捕球具が開示されている。
【０００４】
また、下記の非特許文献１（従来例２）においては、薄型把持力分布測定システムを用いて捕球時における野球用グラブ内での指の圧力分布を測定する方法が開示されている。
【特許文献１】特開２００２−１２６１５３号公報
【非特許文献１】二宮徳数、外１名,「野球グラブ内における捕球時における指の圧力分布に関する研究」,日本機械学会[Ｎｏ.００−３８]シンポジウム講演論文集、社団法人日本機械学会,平成１２年１１月,ｐ１７−２０
【発明の開示】
【発明が解決しようとする課題】
【０００５】
しかしながら、上記のような捕球具においては、以下のような問題があった。
【０００６】
捕球時における捕球具内の指の動きは、たとえばポジションごとに特性を有するなど、各々の装着者によって異なる。したがって、その装着者の指の力の入れ方に応じて、より捕球を行ないやすい捕球具を提供することが望ましい。
【０００７】
しかしながら、従来例１，２においては、装着者の指の動きの特性に応じた捕球具の設計を行なう思想は開示されていない。
【０００８】
また、上記とは別の観点では、従来例１，２において、手掌側内皮（手掌部）に補強材を設ける思想は開示されていない。
【０００９】
本発明は、上記のような問題に鑑みてなされたものであり、本発明の目的は、捕球を行ないやすい捕球具および該捕球具の設計方法を提供することにある。
【課題を解決するための手段】
【００１０】
本発明に係る捕球具は、１つの局面では、受球部と背面部とを含む外皮と、外皮内に挿入され、受球部に沿って設けられる手掌部と背面部に沿って設けられる手甲部とを有する内皮と、手甲部と手掌部との間に形成される指部内に受け入れられる装着者の人差し指、中指、薬指および小指の４本の指の指先近傍に相当する部分の手掌部に選択的に設けられた補強部とを備える。
【００１１】
これにより、装着者の指先部分から捕球具に加えられた力が周囲に伝達されやすくなり、結果として、捕球が行ないやすくなる。
【００１２】
ここで、１つの例として、上記補強部は、４本の指の指先近傍に相当する部分から該４本の指の付根部に向けて延在するように形成される。
【００１３】
これにより、指先部分から加えられた力とともに、指の付根側から捕球具に加えられた力が周囲に伝達されやすくなる。
【００１４】
本発明に係る捕球具は、他の局面では、受球部と背面部とを含む外皮と、外皮内に挿入され、受球部に沿って設けられる手掌部と背面部に沿って設けられる手甲部とを有する内皮と、手甲部と手掌部との間に形成される指部内に受け入れられる装着者の薬指および小指の２本の指のみに相当する部分近傍の手掌部に選択的に設けられた補強部とを備える。
【００１５】
これにより、装着者の薬指および小指から捕球具に加えられた力が周囲に伝達されやすくなり、結果として、捕球が行ないやすくなる。
【００１６】
ここで、１つの例として、上記補強部は、上記２本の指の指先近傍に相当する部分から該２本の指の付根部に向けて延在するように形成される。
【００１７】
これにより、薬指および小指全体から捕球具に加えられた力が周囲に伝達されやすくなる。
【００１８】
また、他の例として、上記補強部は、上記２本の指の指先近傍に相当する部分から該２本の指を受け入れる指部の先端部側に向けて延在するように形成される。
【００１９】
これにより、薬指および小指から捕球具に加えられた力が、捕球具の指袋の先端部にまで伝達されやすくなる。
【００２０】
本発明に係る捕球具は、さらに他の局面では、受球部と背面部とを含む外皮と、外皮内に挿入され、受球部に沿って設けられる手掌部と背面部に沿って設けられる手甲部とを有する内皮と、手甲部と手掌部との間に形成される指部内に受け入れられる装着者の中指、薬指および小指の３本の指のみに相当する部分近傍の手掌部に選択的に設けられた補強部とを備える。
【００２１】
これにより、装着者の中指、薬指および小指から捕球具に加えられた力が周囲に伝達されやすくなり、結果として、捕球が行ないやすくなる。
【００２２】
ここで、１つの例として、上記補強部は、上記３本の指の指先近傍に相当する部分から該３本の指の付根部に向けて延在するように形成される。
【００２３】
これにより、中指、薬指および小指全体から捕球具に加えられた力が周囲に伝達されやすくなる。
【００２４】
また、他の例として、上記補強部は、上記３本の指の指先近傍に相当する部分から該３本の指を受け入れる指部の先端部側に向けて延在するように形成される。
【００２５】
これにより、中指、薬指および小指から捕球具に加えられた力が、捕球具の指袋の先端部にまで伝達されやすくなる。
【００２６】
本発明に係る捕球具は、さらに他の局面では、受球部と背面部とを含む外皮と、外皮内に挿入され、受球部に沿って設けられる手掌部と、背面部に沿って設けられる手甲部と、装着者の人差し指、中指、薬指および小指をそれぞれ受け入れる人差し指部、中指部、薬指部および小指部とを有する内皮と、人差し指部、中指部、薬指部および小指部の付根部を形成する手掌部に選択的に設けられた補強部とを備える。
【００２７】
本発明に係る捕球具は、さらに他の局面では、受球部と背面部とを含む外皮と、外皮内に挿入され、受球部に沿って設けられる手掌部と、背面部に沿って設けられる手甲部と、装着者の薬指および小指をそれぞれ受け入れる薬指部および小指部とを有する内皮と、薬指部および小指部の付根部を形成する手掌部に選択的に設けられた補強部とを備える。
【００２８】
本発明に係る捕球具は、さらに他の局面では、受球部と背面部とを含む外皮と、外皮内に挿入され、受球部に沿って設けられる手掌部と、背面部に沿って設けられる手甲部と、装着者の中指、薬指および小指をそれぞれ受け入れる中指部、薬指部および小指部とを有する内皮と、中指部、薬指部および小指部の付根部を形成する手掌部に選択的に設けられた補強部とを備える。
【００２９】
本発明に係る捕球具は、さらに他の局面では、受球部と背面部とを備えた捕球具であって、受球部の内側であって装着者の指先が位置する部分の近傍にのみ選択的に補強部が設けられている。
【００３０】
本発明に係る捕球具は、さらに他の局面では、受球部と背面部とを備えた捕球具であって、受球部の内側であって装着者の薬指および小指に対応する部分にのみ選択的に補強部が設けられている。
【００３１】
本発明に係る捕球具は、さらに他の局面では、受球部と背面部とを備えた捕球具であって、受球部の内側であって装着者の中指、薬指および小指に対応する部分にのみ選択的に補強部が設けられている。
【００３２】
以上のような構成によっても、装着者の指先部分または特定の指全体から捕球具に加えられた力が周囲に伝達されやすくなり、結果として、捕球が行ないやすくなる。
【００３３】
なお、上記の「中指、薬指および小指に対応する部分」とは、それぞれ捕球具における装着者の中指、薬指および小指が位置する部分から中指袋、薬指袋および小指袋の先端部までの一部または全部を意味する。
【００３４】
本発明に係る捕球具の設計方法は、捕球具の装着者の指が捕球時に前記捕球具に作用させる圧力の分布を圧力センサにより計測するステップと、計測ステップおける計測結果に基づいて、捕球具における受球部の内側において圧力が相対的に大きい部分に補強部を設けるステップとを備える。
【００３５】
これにより、捕球時に装着者が相対的に大きな圧力を加える箇所の剛性を向上させ、装着者の指から加えられる力を比較的広い範囲に伝達することができる。結果として、捕球がしやすい捕球具を提供することができる。
【発明の効果】
【００３６】
本発明においては、捕球時における装着者の指の力の入れ方の特性に応じて補強部を配置することにより、該捕球具を用いた捕球を行ないやすくすることができる。
【発明を実施するための最良の形態】
【００３７】
以下に、本発明に基づく捕球具および該捕球具の設計方法の実施の形態について説明する。
【００３８】
なお、本願明細書において「捕球具」とは、野球またはソフトボール用グラブやミットなどのボールを捕えるための用具のことである。
【００３９】
本実施の形態に係る捕球具は、受球部と背面部とを含む外皮と、外皮内に挿入され、受球部に沿って設けられる手掌部と背面部に沿って設けられる手甲部とを有する内皮と、手甲部と手掌部との間に形成され装着者の指を受け入れる指部と、手掌部における特定の箇所に選択的に設けられる補強部とを備える。
【００４０】
手掌部における補強部が設けられた部分は、その周辺部分と比較して、相対的に剛性が高い。したがって、補強部上に加えられた力は、周囲（より具体的には、たとえば、各々の指袋の先端部）に伝達されやすい。
【００４１】
補強部は、典型的には、手掌部に補強部材を重ねて取付ける（縫着、貼付など）ことにより形成される。補強部材としては、手掌部と同材質のものを用いてもよいし、手掌部よりも硬い／軟らかい材質のものを用いてもよい。
【００４２】
また、補強部は、外皮における受球面皮の内側面上に設けられてもよいし、内皮における手掌部の受球面側の表面上／装着者の掌側の表面上に設けられてもよい。
【００４３】
上記構成の他にも、たとえば、手掌部の一部をくりぬいて該手掌部よりも硬質の部材を設けることで補強部が形成されてもよいし、手掌部の一部に硬化剤を染み込ませることで補強部が形成されてもよい。
【００４４】
補強部は、捕球時に装着者が相対的に大きな圧力を加える箇所に相当する部分に設けられる。これにより、装着者が加える力をより広い範囲に伝達することができ、結果として、捕球が行ないやすくなる。
【００４５】
捕球時に装着者が相対的に大きな圧力を加える箇所は、各々のプレーヤーによって異なるが、一定の範囲で分類することが可能であると考えられる。上記分類方法としては、たとえば、そのプレーヤーの守備位置（ポジション）別に分類する方法が考えられる。
【００４６】
たとえば、一塁手の場合、中指および薬指全体と小指の付根付近に力が集中する傾向にある。また、二塁手および遊撃手の場合、親指と中指から小指の先端部とに力が集中する傾向にある。ただし、二塁手および遊撃手が逆シングル捕球を行なう場合、中指および薬指全体と小指の付根付近に力が集中する傾向にある。三塁手の場合、親指と中指から小指の全体とに力が集中する傾向にある。さらに、外野手の場合、親指と薬指および小指全体とに力が集中する傾向にある。
【００４７】
このように、プレーヤーのポジション別に該プレーヤーが捕球時に力を集中させる箇所を分類できるため、補強部材の位置をポジション別に設定することが有効である。
【００４８】
補強部材を配置する位置としては、たとえば、装着者の人差し指、中指、薬指および小指の４本の指の指先近傍に相当する部分、中指、薬指および小指の３本の指のみに相当する部分近傍、薬指および小指の２本の指のみに相当する部分近傍などが考えられる。
【００４９】
上記４本の指（人差し指〜小指）の指先に相当する部分に補強部材を配置した捕球具は、典型的には、二塁手および遊撃手用として用いられる。上述したとおり、二塁手および遊撃手は、捕球時に指先部分に力を集中させる傾向にあるため、指先に相当する部分に選択的に補強部材を配置することで、装着者が加える力をより広い範囲に伝達することができる。結果として、捕球が行ないやすくなる。
【００５０】
この場合、補強部材は、４本の指の指先近傍に相当する部分から該４本の指の付根部に向けて延在するように形成されてもよい。
【００５１】
これにより、指先部分から加えられた力とともに、指の付根側から捕球具に加えられた力が周囲に伝達されやすくなる。
【００５２】
上記３本の指（中指〜小指）のみに相当する部分近傍に補強部材を配置した捕球具は、典型的には、三塁手用として用いられる。上述したとおり、三塁手は、捕球時に中指、薬指および小指に力を集中させる傾向にあるため、上記３本の指に相当する部分に選択的に補強部材を配置することで、装着者が加える力をより広い範囲に伝達することができる。結果として、捕球が行ないやすくなる。
【００５３】
この場合、補強部材は、３本の指の指先近傍に相当する部分から該３本の指の付根部に向けて延在するように形成されてもよいし、３本の指の指先近傍に相当する部分から該３本の指を受け入れる指部の先端部側に向けて延在するように形成されてもよい。
【００５４】
これにより、中指、薬指および小指全体から捕球具に加えられた力が周囲に伝達されやすくなる、または、中指、薬指および小指から捕球具に加えられた力が、捕球具の指袋の先端部にまで伝達されやすくなる。
【００５５】
上記２本の指（薬指および小指）のみに相当する部分近傍に補強部材を配置した捕球具は、典型的には、外野手用として用いられる。上述したとおり、外野手は、捕球時に薬指および小指に力を集中させる傾向にあるため、上記２本の指に相当する部分に選択的に補強部材を配置することで、装着者が加える力をより広い範囲に伝達することができる。結果として、捕球が行ないやすくなる。
【００５６】
この場合、補強部材は、２本の指の指先近傍に相当する部分から該２本の指の付根部に向けて延在するように形成されてもよいし、２本の指の指先近傍に相当する部分から該２本の指を受け入れる指部の先端部側に向けて延在するように形成されてもよい。
【００５７】
これにより、薬指および小指全体から捕球具に加えられた力が周囲に伝達されやすくなる、または、薬指および小指から捕球具に加えられた力が、捕球具の指袋の先端部にまで伝達されやすくなる。
【００５８】
手掌部における装着者の人差し指から小指が当接する箇所は、捕球具における装着者の人差し指、中指、薬指および小指をそれぞれ受け入れる人差し指部、中指部、薬指部および小指部の付根部近傍に相当する。
【００５９】
したがって、上記捕球具について換言すると、以下のようになる。すなわち、本実施の形態に係る捕球具は、受球部と背面部とを含む外皮と、外皮内に挿入され、受球部に沿って設けられる手掌部と、背面部に沿って設けられる手甲部と、装着者の人差し指、中指、薬指および小指をそれぞれ受け入れる人差し指部、中指部、薬指部および小指部とを有する内皮と、特定の指部の付根部を形成する手掌部に選択的に設けられた補強部とを備える。
【００６０】
付根部に補強部が設けられる指部は、１つの局面（二塁手および遊撃手用）では、人差し指部、中指部、薬指部および小指部であり、他の局面（三塁手用）では、中指部、薬指部および小指部であり、さらに他の局面（外野手用）では、薬指部および小指部である。
【００６１】
以上に述べた捕球具は、外皮と内皮とを備えるものであるが、本願発明に係る捕球具は、そのような捕球具に限定されるものではなく、受球部の内側における所定の位置に補強部が設けられている限り、本願発明に係る捕球具に含まれる。
【００６２】
このような観点から、上記捕球具について要約すると、以下のようになる。すなわち、本実施の形態に係る捕球具は、受球部と背面部とを備えた捕球具であって、受球部の内側において、所定の部分にのみ選択的に補強部が設けられている。
【００６３】
補強部が選択的に設けられる箇所としては、たとえば、装着者の指先が位置する部分の近傍や、装着者の薬指および小指に対応する部分（装着者の薬指および小指が位置する部分から薬指袋および小指袋の先端部までの一部または全部）や、装着者の中指、薬指および小指に対応する部分（装着者の中指、薬指および小指が位置する部分から中指袋、薬指袋および小指袋の先端部までの一部または全部）などが考えられる。
【００６４】
本実施の形態においては、上述した構成により、捕球時における装着者の指の力の入れ方に応じて、捕球を行ないやすい捕球具が提供される。
【００６５】
次に、上述した捕球具の設計方法について説明する。
【００６６】
図２５は、装着者が捕球具に加える力を計測するためのセンサユニット１７を示した図である。また、図２６は、図２５に示すセンサユニット１７を装着者の手に取り付けた状態を示す図である。
【００６７】
センサユニット１７は、図２５に示すように、５本に枝分かれしており、各々の枝が複数のセンサ１８を有する。センサユニット１７は簡単に変形させることができ、図２６に示すように、センサユニット１７を変形させ、装着者の手に巻き付けることで、センサ部１８が装着者の掌／指における所定の位置に配置される。センサ部１８は、合計で２０個配置される。
【００６８】
図２７は、図２６における装着者の指部を拡大して示した図である。
【００６９】
図２７を参照して、各々のセンサ部１８は、４列に並んで形成されたセンサ１９を備える。各々のセンサ１９においては、センサ１９の延在方向に４つの測定点が並んで形成されている。すなわち、１つのセンサ部１８において、４×４＝１６箇所の測定点が形成されている。
【００７０】
センサユニット１７としては、たとえば、ニッタ（株）製のグローブスキャンが用いられる。センサユニット１７の厚みは０．１５ｍｍ程度であり、センサユニット１７全体としての大きさは、２００×４００ｍｍ程度である。センサ部１８の大きさは、１６ｍｍ×１６ｍｍ程度である。測定点の数は、２０×４×４＝３２０箇所であり、各々の測定点において、２〜２００ｋＰａ程度の範囲で、当該測定点に作用する圧力が０．０１秒ごとに測定される。
【００７１】
図２８は、捕球動作における時間の経過とセンサユニット１７による計測結果（捕球具の装着者が捕球具に加える力の大きさ）との関係の一例を示した図である。
【００７２】
なお、図２８において、縦軸に示す力（ｋｇｆ）は、各々の測定点で計測される圧力（ｋｇｆ／ｍｍ2）の平均値に、センサ部１８の面積の合計（１６×１６×２０＝５１２０ｍｍ2）を乗じることにより得られる。
【００７３】
図２８を参照して、ａ部は、捕球具にボールが入った（ボールが当たった）瞬間における力のピークを示す。また、ｂ部は、装着者が握る力のピークを示す。このように、握る力のピークは、捕球具にボールが当たった後に現れる。本実施の形態においては、ｂ部における力の値を計測する。
【００７４】
センサユニット１７による計測結果は、手モデル上に表示される。図２９は、手モデルをポリゴン表示した図である。図３０は、上記計測結果を図２９に示す手モデル上に表示した図である。
【００７５】
図３０は、二塁手／遊撃手の捕球時における計測結果を示したものである。図３０においては、黒く表示された部分と比較して、白く表示された部分において、相対的に大きな力が加えられている。すなわち、親指と中指から小指の先端部とにおいて、相対的に大きな力が加えられている。
【００７６】
図３０に示される結果から、たとえば二塁手／遊撃手用のグラブにおいては、装着者の人差し指〜小指の指先近傍における手掌部に選択的に補強部を設けることで、捕球時に加えられる比較的大きな力をより広い範囲に伝達することができると考えられる。なお、最も大きな力が作用しているのは中指〜小指の指先近傍であるので、中指〜小指のみの指先近傍に補強部を設けてもよい。
【００７７】
捕球具の設計方法に関し、上述した内容について要約すると、以下のようになる。すなわち、本実施の形態に係る捕球具の設計方法は、捕球具の装着者の指が捕球時に前記捕球具に作用させる圧力の分布をセンサユニット１７（圧力センサ）により計測するステップと、計測ステップおける計測結果に基づいて、捕球具における受球部の内側において圧力が相対的に大きい部分に補強部を設けるステップとを備える。
【実施例１】
【００７８】
以下に、本発明に基づく捕球具の実施例について説明する。
【００７９】
図１は、実施例１に係る捕球具としての野球用またはソフトボール用グラブの正面図である。また、図２は、上記グラブの内部の構造を示した図である。
【００８０】
本実施例に係るグラブ１は、図１および図２に示すように、受球面部を含む受球面外皮８（受球部）と、手甲部を含む背面外皮９（背面部）とを皮紐などを用いて結合して形成される外皮１Ａを備える。この外皮１Ａは、たとえば天然皮革あるいは人工皮革などの素材を主体とした材料により構成される。
【００８１】
外皮１Ａは、図１に示すように、親指を受け入れる親指袋２（第１指袋）と、人差指を受け入れる人差指袋４（第２指袋）と、中指を受け入れる中指袋５（第３指袋）と、薬指を受け入れる薬指袋６（第４指袋）と、小指を受け入れる小指袋７（第５指袋）と、親指袋２と人差指袋４間に設けられたウェブ部３と、グラブ１内に手を挿入するための手口挿入部１０とを備える。
【００８２】
また、グラブ１は、図２に示すように、背面外皮９に、プレイヤーの手の甲の一部を露出させる開口部１１を設けているが、この開口部１１は省略可能である。なお、図２では、説明の便宜上、開口部１１よりも手首側に位置する部分の図示を省略している。
【００８３】
グラブ１は、上述の外皮の内側に、手掌部材１２Ａ（手掌部、手掌側内皮）と手甲部材１２Ｂ（手甲部、手甲側内皮）とを備える内皮を挿入し、この内皮と外皮とを皮紐などを用いて結合するなどして形成される。
【００８４】
内皮１２の形状の一例を図３に示す。図３に示すように、内皮１２は、手掌側に配置される手掌部材１２Ａと、手甲側に配置される手甲部材１２Ｂとを縫着することにより形成されている。
【００８５】
この内皮１２は、親指を受け入れる親指部１２０Ａ（第１指部）と、人差指を受け入れる人差指部１２０Ｂ（第２指部）と、中指を受け入れる中指部１２０Ｃ（第３指部）と、薬指を受け入れる薬指部１２０Ｄ（第４指部）と、小指を受け入れる小指部１２０Ｅ（第５指部）とを有する。また、親指部と小指部には、各指部内において指を固定するための指掛け１３が設けられている。
【００８６】
なお、手掌部材１２Ａおよび手甲部材１２Ｂとしては、グラブを装着したときの感触を考慮して、軟らかくなめした革が使用される。
【００８７】
図４は、捕球時のグラブ１とボール１４および装着者の手（破線）との位置関係の一例を示した図である。
【００８８】
図４を参照して、装着者の指は、指袋２，４〜７の真中付近までしか達していない。したがって、装着者の指の力をその周囲に伝達しやすくすることで、グラブ操作がしやすくなり、捕球が行ないやすくなる。このための手段として、補強材（補強部）が設けられる。
【００８９】
図５は、グラブ１における手掌部材１２Ａ（手掌側内皮）上の補強材１５（補強部）の配置を示した図である。なお、図５は、図３に示す手掌部材１２Ａを裏面（外皮と接する側の面）側からみた状態を示す。図５中における破線は、装着者の手に取り付けられた各々のセンサ部１８の中心（計測位置１８０、図２６を参照）を示す。
【００９０】
図５を参照して、補強材１５は、装着者の人差し指〜小指の指先近傍における手掌部材１２Ａの表面（装着者の掌と接する側の面）上に帯状に設けられる。補強材１５は、手掌部材１２Ａに接着されて設けられる。
【００９１】
図５に示すように、１枚の補強材１５で人差し指〜小指の指先部分を補強することで、生産効率を向上させることができる。また、ある指の指先に力を入れた時に、その力が他の指の指先近傍にも達しやすくなる、すなわち、横方向（人差し指から小指に向かう方向）の力の伝達を確保することができる。
【００９２】
本実施例に係るグラブ１は、典型的には、二塁手／遊撃手用として用いられる。
【００９３】
なお、補強材１５を構成する素材としては、牛革、ボール皮、貼布などが用いられる。
【実施例２】
【００９４】
図６は、実施例２に係るグラブ１における手掌部材１２Ａ（手掌側内皮）上の補強材１５（補強部）の配置を示した図である。
【００９５】
本実施例に係るグラブ１は、上述した実施例１に係るグラブ１の変形例であり、基本的には、実施例１に係るグラブと同様の構成を有する。
【００９６】
図６を参照して、本実施例においては、補強材１５は、装着者の人差し指〜小指の指先近傍における手掌部材１２Ａの表面（装着者の掌と接する側の面）上で、４つに分割され、それぞれ四角形形状を有するように設けられる。
【００９７】
図６に示すように、補強材１５を４つに分割して設けることで、グラブ１の屈曲性を確保し、補強部を設けない従来のグラブと比較した場合に違和感なくグラブを使用することができる。また、補強材１５に用いる材料の量を低減することができる。
【００９８】
本実施例に係るグラブ１は、典型的には、二塁手／遊撃手用として用いられる。
【００９９】
なお、本実施例において、上述した実施例１と同様の事項については、詳細な説明は繰り返されない。
【実施例３】
【０１００】
図７は、実施例３に係るグラブ１における手掌部材１２Ａ（手掌側内皮）上の補強材１５（補強部）の配置を示した図である。
【０１０１】
本実施例に係るグラブ１は、上述した実施例１，２に係るグラブ１の変形例であり、基本的には、実施例１，２に係るグラブと同様の構成を有する。
【０１０２】
図７を参照して、本実施例においては、補強材１５は、装着者の人差し指〜小指の指先近傍における手掌部材１２Ａの表面（装着者の掌と接する側の面）上で１つに連結されて設けられる。ここで、補強材１５は、装着者の各指（人差し指〜小指）上で略四角形形状を有する。隣合う指上の四角形は、相対的に幅の狭い連結部１５Ａにより接続されている。
【０１０３】
図７に示すように、補強材１５に切れ目を設けながら該補強材１５を１つに連結して設けることで、グラブ１の屈曲性を確保しながら、実施例１と同様に、横方向の力の伝達を向上させることができる。
【０１０４】
本実施例に係るグラブ１は、典型的には、二塁手／遊撃手用として用いられる。
【０１０５】
なお、本実施例において、上述した実施例１，２と同様の事項については、詳細な説明は繰り返されない。
【実施例４】
【０１０６】
図８は、実施例４に係るグラブ１における手掌部材１２Ａ（手掌側内皮）上の補強材１５（補強部）の配置を示した図である。
【０１０７】
本実施例に係るグラブ１は、上述した実施例１〜３に係るグラブ１の変形例であり、基本的には、実施例１〜３に係るグラブと同様の構成を有する。
【０１０８】
図８を参照して、本実施例においては、補強材１５は、装着者の人差し指〜小指の指先近傍における手掌部材１２Ａの表面（装着者の掌と接する側の面）上で、４つに分割され、それぞれ指先側から指の付根側に向かって幅が狭くなるテーパ形状を有するように設けられる。
【０１０９】
図８に示すように、補強材１５をテーパ形状に形成することで、指先側から指の付根側に向かって小さくなる指の力に対応した剛性分布を実現することができる。
【０１１０】
本実施例に係るグラブ１は、典型的には、二塁手／遊撃手用として用いられる。
【０１１１】
なお、本実施例において、上述した実施例１〜３と同様の事項については、詳細な説明は繰り返されない。
【実施例５】
【０１１２】
図９は、実施例５に係るグラブ１における手掌部材１２Ａ（手掌側内皮）上の補強材１５（補強部）の配置を示した図である。
【０１１３】
本実施例に係るグラブ１は、上述した実施例１〜４に係るグラブ１の変形例であり、基本的には、実施例１〜４に係るグラブと同様の構成を有する。
【０１１４】
図９を参照して、本実施例においては、補強材１５は、手掌部材１２Ａの表面（装着者の掌と接する側の面）上で、４つに分割され、それぞれ装着者の人差し指〜小指の指先近傍から各指（人差し指〜小指）を受け入れる指部の先端部にまで達するように設けられる。
【０１１５】
図９に示すように、補強材１５をグラブ先端部にまで延在させることで、グラブの先端にまで補強の効果を及ぼすことができる。
【０１１６】
本実施例に係るグラブ１は、典型的には、二塁手／遊撃手用として用いられる。
【０１１７】
なお、本実施例において、上述した実施例１〜４と同様の事項については、詳細な説明は繰り返されない。
【実施例６】
【０１１８】
図１０は、実施例６に係るグラブ１における手掌部材１２Ａ（手掌側内皮）上の補強材１５（補強部）の配置を示した図である。
【０１１９】
本実施例に係るグラブ１は、上述した実施例１〜５に係るグラブ１の変形例であり、基本的には、実施例１〜５に係るグラブと同様の構成を有する。
【０１２０】
図１０を参照して、本実施例においては、補強材１５は、手掌部材１２Ａの表面（装着者の掌と接する側の面）上で、装着者の薬指、小指の付根部から先端部に相当する箇所に設けられる。
【０１２１】
図１０に示すように、補強材１５を１枚で形成することで、製造上の手間を減らしながら、薬指、小指が加える力を周囲に伝達しやすくすることができる。
【０１２２】
本実施例に係るグラブ１は、典型的には、外野手用として用いられる。
【０１２３】
なお、本実施例において、上述した実施例１〜５と同様の事項については、詳細な説明は繰り返されない。
【実施例７】
【０１２４】
図１１は、実施例７に係るグラブ１における手掌部材１２Ａ（手掌側内皮）上の補強材１５（補強部）の配置を示した図である。
【０１２５】
本実施例に係るグラブ１は、上述した実施例１〜６に係るグラブ１の変形例であり、基本的には、実施例１〜６に係るグラブと同様の構成を有する。
【０１２６】
図１１を参照して、本実施例においては、補強材１５は、手掌部材１２Ａの表面（装着者の掌と接する側の面）上で、２つに分割され、それぞれ装着者の薬指、小指の付根部から先端部に相当する箇所に設けられる。
【０１２７】
図１１に示すように、補強材１５を２枚に分割して形成することで、薬指、小指が加える力を周囲に伝達しやすくしながら、グラブ１の屈曲性を確保することができる。
【０１２８】
本実施例に係るグラブ１は、典型的には、外野手用として用いられる。
【０１２９】
なお、本実施例において、上述した実施例１〜６と同様の事項については、詳細な説明は繰り返されない。
【実施例８】
【０１３０】
図１２は、実施例８に係るグラブ１における手掌部材１２Ａ（手掌側内皮）上の補強材１５（補強部）の配置を示した図である。
【０１３１】
本実施例に係るグラブ１は、上述した実施例１〜７に係るグラブ１の変形例であり、基本的には、実施例１〜７に係るグラブと同様の構成を有する。
【０１３２】
図１２を参照して、本実施例においては、補強材１５は、手掌部材１２Ａの表面（装着者の掌と接する側の面）上で、２つに分割され、それぞれ装着者の薬指、小指の付根部に相当する箇所から薬指、小指を受け入れる指部の先端部にまで延在するように設けられる。
【０１３３】
図１２に示すように、補強材１５をグラブ先端部にまで延在させることで、グラブの先端にまで補強の効果を及ぼすことができる。
【０１３４】
本実施例に係るグラブ１は、典型的には、外野手用として用いられる。
【０１３５】
なお、本実施例において、上述した実施例１〜７と同様の事項については、詳細な説明は繰り返されない。
【実施例９】
【０１３６】
図１３は、実施例９に係るグラブ１における手掌部材１２Ａ（手掌側内皮）上の補強材１５（補強部）の配置を示した図である。
【０１３７】
本実施例に係るグラブ１は、上述した実施例１〜８に係るグラブ１の変形例であり、基本的には、実施例１〜８に係るグラブと同様の構成を有する。
【０１３８】
図１３を参照して、本実施例においては、補強材１５は、手掌部材１２Ａの表面（装着者の掌と接する側の面）上で、２つに分割され、それぞれ装着者の薬指、小指の長手方向における中央部に相当する箇所から薬指、小指を受け入れる指部の先端部にまで延在するように設けられる。
【０１３９】
図１３に示すように、補強材１５を指の付根部ではなくその中央部から設けることで、屈曲性の高いポケット部を比較的広く確保することができ、捕球が行ないやすくなる。
【０１４０】
本実施例に係るグラブ１は、典型的には、外野手用として用いられる。
【０１４１】
なお、本実施例において、上述した実施例１〜８と同様の事項については、詳細な説明は繰り返されない。
【実施例１０】
【０１４２】
図１４は、実施例１０に係るグラブ１における手掌部材１２Ａ（手掌側内皮）上の補強材１５（補強部）の配置を示した図である。
【０１４３】
本実施例に係るグラブ１は、上述した実施例６（図１０）に係るグラブ１の変形例であり、図１４に示すように、装着者の中指に対応する位置にも補強材１５を設けた点で、実施例６と異なる。
【０１４４】
本実施例に係るグラブ１は、典型的には、三塁手用として用いられる。
【０１４５】
なお、本実施例において、上述した実施例６と同様の事項については、詳細な説明は繰り返されない。
【実施例１１】
【０１４６】
図１５は、実施例１１に係るグラブ１における手掌部材１２Ａ（手掌側内皮）上の補強材１５（補強部）の配置を示した図である。
【０１４７】
本実施例に係るグラブ１は、上述した実施例７（図１１）に係るグラブ１の変形例であり、図１５に示すように、装着者の中指に対応する位置にも補強材１５を設けた点で、実施例７と異なる。
【０１４８】
本実施例に係るグラブ１は、典型的には、三塁手用として用いられる。
【０１４９】
なお、本実施例において、上述した実施例７と同様の事項については、詳細な説明は繰り返されない。
【実施例１２】
【０１５０】
図１６は、実施例１２に係るグラブ１における手掌部材１２Ａ（手掌側内皮）上の補強材１５（補強部）の配置を示した図である。
【０１５１】
本実施例に係るグラブ１は、上述した実施例８（図１２）に係るグラブ１の変形例であり、図１６に示すように、装着者の中指に対応する位置にも補強材１５を設けた点で、実施例８と異なる。
【０１５２】
本実施例に係るグラブ１は、典型的には、三塁手用として用いられる。
【０１５３】
なお、本実施例において、上述した実施例８と同様の事項については、詳細な説明は繰り返されない。
【実施例１３】
【０１５４】
図１７は、実施例１３に係るグラブ１における手掌部材１２Ａ（手掌側内皮）上の補強材１５（補強部）の配置を示した図である。
【０１５５】
本実施例に係るグラブ１は、上述した実施例９（図１３）に係るグラブ１の変形例であり、図１７に示すように、装着者の中指に対応する位置にも補強材１５を設けた点で、実施例９と異なる。
【０１５６】
本実施例に係るグラブ１は、典型的には、三塁手用として用いられる。
【０１５７】
なお、本実施例において、上述した実施例８と同様の事項については、詳細な説明は繰り返されない。
【０１５８】
以下に、上述した補強材１５をグラブに設けたことによる効果（ボールをつかむ力の向上）について説明する。なお、効果の実証には、実施例３に係るグラブ１と実施例９に係るグラブ１とが用いられる。
【０１５９】
図１８は、グラブ１がボール１４をつかむ力を荷重計１６を用いて計測する状態を示す図である。
【０１６０】
図１８を参照して、ボール１４は、ウェブ部３から３分の１程度突出した状態で、グラブ１に把持される。装着者（被験者）の手（図示せず）は、ボール１４がグラブ１から落ちないように、グラブ１を握る力を加える。荷重計１６にはフック部１６Ａが取付けられる。フック部１６Ａは、中指袋５と薬指袋６との間に引掛けられ、荷重計１６により、図１８中の矢印の方向（上方向）に引張られる。これにより、グラブ１を開き、ボール１４をグラブ１から落とそうとする力がグラブ１に加えられる。ここで、荷重計１６が加える力の大きさは、コントローラ１６Ｂにより制御される。当該力の大きさは、モニタ１６Ｃに表示される。なお、荷重計１６としては、たとえば、（株）島津製作所製のオートグラフ／ＡＧ−５０００Ｄが用いられる。
【０１６１】
一方、グラブ１の装着者の手には、上述したセンサユニット１７が取付けられている。荷重計１６から加えられるグラブ１を開こうとする力がグラブ１の先端部を閉じる力を上回ると、ボール１４がグラブ１からこぼれ落ちる。このボール１４が落ちる瞬間に装着者がグラブ１を握る力の大きさが、センサユニット１７により計測される。一方、ボール１４が落ちる瞬間におけるグラブ１を開こうとする力の大きさは、モニタ１６Ｃに表示される。
【０１６２】
なお、簡便な手法で上記の計測を行なう場合、荷重計１６に代えてばねばかりを用いることも可能である。
【０１６３】
図１９〜図２３は、グラブ１がボール１４をつかむ力の伝達率に関する比較結果（比較例１〜５）を示した図である。
【０１６４】
比較例１〜３（図１９〜２１）においては、実施例３に係るグラブ１（補強あり）とそのグラブから補強材１５を除いたグラブ（補強なし）との比較が行なわれる。比較例４，５（図２２，図２３）においては、実施例９に係るグラブ１（補強あり）とそのグラブから補強材１５を除いたグラブ（補強なし）との比較が行なわれる。
【０１６５】
図１９〜図２３においては、「補強あり」の場合と「補強なし」の場合とについて、それぞれ、ボール１４がグラブ１から落ちる瞬間にセンサユニット１７（センサ）により計測された力とばねばかり１６（バネ）により計測された力とが表示される。
【０１６６】
図１９〜図２３を参照して、いずれの場合についても、「センサ」により計測された力は、「バネ」により計測された力よりも大きい。ここで、「センサ」により計測された力は、グラブの装着者がグラブを握る力の大きさに相当し、「バネ」により計測された力は、ばねばかり１６を介してグラブ先端部を開こうとする力の大きさに相当する。したがって、（「バネ」により計測された力）の（「センサ」により計測された力）に対する比率が大きいほど、グラブの装着者が握る力が、該グラブの先端部を閉じようとする力として効率よく伝えられていることになる。この比率を「力の伝達率」と称する。
【０１６７】
図２４は、比較例１〜５に係る「力の伝達率」を示した図である。
【０１６８】
図２４を参照して、比較例１〜５ともに、「補強なし」の場合と比較して「補強あり」の場合に「力の伝達率」が向上していることが分かる。したがって、補強材１５を配置することにより、装着者の指の力がグラブ１全体（たとえば先端部）に効果的に伝達されることが分かる。
【０１６９】
以上、本発明の実施の形態および実施例について説明したが、上述した実施の形態および各実施例の特徴部分を適宜組み合わせることは、当初から予定されている。また、今回開示された実施の形態および実施例は全ての点で例示であって制限的なものではないと考えられるべきである。本発明の範囲は特許請求の範囲によって示され、特許請求の範囲と均等の意味および範囲内での全ての変更が含まれることが意図される。
【図面の簡単な説明】
【０１７０】
【図１】本発明の実施例１〜１３に係る捕球具の正面図である。
【図２】本発明の実施例１〜１３に係る捕球具の内部の構成を示す図である。
【図３】本発明の実施例１〜１３に係る捕球具の内皮の上面図である。
【図４】本発明の実施例１〜１３に係る捕球具で捕球する際の捕球具とボールおよび装着者の手との位置関係の一例を示した図である。
【図５】本発明の実施例１に係る捕球具における手掌側内皮上の補強材の配置を示した図である。
【図６】本発明の実施例２に係る捕球具における手掌側内皮上の補強材の配置を示した図である。
【図７】本発明の実施例３に係る捕球具における手掌側内皮上の補強材の配置を示した図である。
【図８】本発明の実施例４に係る捕球具における手掌側内皮上の補強材の配置を示した図である。
【図９】本発明の実施例５に係る捕球具における手掌側内皮上の補強材の配置を示した図である。
【図１０】本発明の実施例６に係る捕球具における手掌側内皮上の補強材の配置を示した図である。
【図１１】本発明の実施例７に係る捕球具における手掌側内皮上の補強材の配置を示した図である。
【図１２】本発明の実施例８に係る捕球具における手掌側内皮上の補強材の配置を示した図である。
【図１３】本発明の実施例９に係る捕球具における手掌側内皮上の補強材の配置を示した図である。
【図１４】本発明の実施例１０に係る捕球具における手掌側内皮上の補強材の配置を示した図である。
【図１５】本発明の実施例１１に係る捕球具における手掌側内皮上の補強材の配置を示した図である。
【図１６】本発明の実施例１２に係る捕球具における手掌側内皮上の補強材の配置を示した図である。
【図１７】本発明の実施例１３に係る捕球具における手掌側内皮上の補強材の配置を示した図である。
【図１８】捕球具がボールをつかむ力を荷重計を用いて計測する状態を示す図である。
【図１９】補給具における力の伝達率に関する比較結果（比較例１）を示した図である。
【図２０】補給具における力の伝達率に関する比較結果（比較例２）を示した図である。
【図２１】補給具における力の伝達率に関する比較結果（比較例３）を示した図である。
【図２２】補給具における力の伝達率に関する比較結果（比較例４）を示した図である。
【図２３】補給具における力の伝達率に関する比較結果（比較例５）を示した図である。
【図２４】図１９〜図２３に示す比較例１〜５に係る力の伝達率を示した図である。
【図２５】装着者が捕球具に加える力を計測するためのセンサを示した図である。
【図２６】図２５に示すセンサを装着者の手に取り付けた状態を示す図である。
【図２７】図２６における指部を拡大して示した図である。
【図２８】捕球動作における時間の経過と捕球具の装着者が捕球具に加える力の大きさとの関係を示した図である。
【図２９】手モデルをポリゴン表示した図である。
【図３０】図２５〜図２７に示すセンサにより得られた計測結果を図２９に示す手モデル上に表示した図である。
【符号の説明】
【０１７１】
１  グラブ、１Ａ  外皮、２  親指袋、３  ウェブ部、４  人差指袋、５  中指袋、６  薬指袋、７  小指袋、８  受球面外皮、９  背面外皮、１０  手口挿入部、１１  開口部、１２  内皮、１２Ａ  手掌部材、１２Ｂ  手甲部材、１３  指掛け、１４  ボール、１５  補強材、１５Ａ  連結部、１６  荷重計、１６Ａ  フック部、１６Ｂ  コントローラ、１６Ｃ  モニタ、１７  センサユニット、１８  センサ部、１９  センサ、１２０Ａ  親指部、１２０Ｂ  人差し指部、１２０Ｃ  中指部、１２０Ｄ  薬指部、１２０Ｅ  小指部、１８０  計測位置。
【図１】
2005329053.tif 000003
【図２】
2005329053.tif 000004
【図３】
2005329053.tif 000005
【図４】
2005329053.tif 000006
【図５】
2005329053.tif 000007
【図６】
2005329053.tif 000008
【図７】
2005329053.tif 000009
【図８】
2005329053.tif 000010
【図９】
2005329053.tif 000011
【図１０】
2005329053.tif 000012
【図１１】
2005329053.tif 000013
【図１２】
2005329053.tif 000014
【図１３】
2005329053.tif 000015
【図１４】
2005329053.tif 000016
【図１５】
2005329053.tif 000017
【図１６】
2005329053.tif 000018
【図１７】
2005329053.tif 000019
【図１８】
2005329053.tif 000020
【図１９】
2005329053.tif 000021
【図２０】
2005329053.tif 000022
【図２１】
2005329053.tif 000023
【図２２】
2005329053.tif 000024
【図２３】
2005329053.tif 000025
【図２４】
2005329053.tif 000026
【図２５】
2005329053.tif 000027
【図２６】
2005329053.tif 000028
【図２７】
2005329053.tif 000029
【図２８】
2005329053.tif 000030
【図２９】
2005329053.tif 000031
【図３０】
2005329053.tif 000032